(57)【特許請求の範囲】
【請求項１】
洋風便器の後部上面に設置されたロータンクカバーに対してもたれかかる便蓋を受け止めるための便蓋のストッパ装置であって、
該ロータンクカバーの上部の前面から突出可能な受止体と、
該受止体を突出および後退させるための作動手段とを備えてなり、
該作動手段は、便蓋の起立に応じて該受止体を突出させ、便蓋の倒伏に応じて該受止体を後退させるものであることを特徴とする便蓋のストッパ装置。
【請求項２】
請求項１において、前記受止体の前端面は該受止体の周囲の前記ロータンクカバーと同色であり、且つ該受止体は、後退時にその前端面が周囲のロータンクカバー前面と面一となることを特徴とする便蓋のストッパ装置。
【発明の詳細な説明】
【０００１】
【発明の属する技術分野】
本発明は、洋風便器の便蓋が起立したときにこれを受け止めるための便蓋のストッパ装置に関するものであり、特にロータンクカバーを有した洋風便器に適用される便蓋のストッパ装置に関する。
【０００２】
【従来の技術】
洋風便器は、周知の通り前部に鉢部を備えると共に、この鉢部周囲上面に倒伏するように合成樹脂製の便蓋が設けられている。この便蓋は、その後部側が回動自在に支持されることにより、起倒方向（上下方向）に回動可能となっている。
【０００３】
この洋風便器の便鉢に洗浄水を供給するために洋風便器の後部上面にロータンクが設置されることが多い。そして、近年、このロータンクを合成樹脂よりなるロータンクカバー内に配置したコンソール型と称される洋風便器設備が特に高級タイプの洋風便器設備として普及しつつある。
【０００４】
このコンソール型洋風便器設備にあっては、このロータンクカバーに便蓋及び便座が起倒方向回動可能に取り付けられ、該ロータンクカバー内に温水洗浄装置（用便者の臀部に温水を注ぎ掛けて洗浄する装置）が設置されることが通常である。
【０００５】
【発明が解決しようとする課題】
このコンソール型洋風便器設備において、便蓋を起立させたときに便蓋がロータンクカバーに当ると、合成樹脂製の便蓋やロータンクカバーに傷が付く。そこで、ロータンクカバーの上部の前面にウレタン等の軟質樹脂やエラストマー等の小型のチップ状ストッパを貼着し、便蓋を該ストッパによって受け止めることが行われている。
【０００６】
しかしながら、このようなチップ状ストッパはロータンクカバーの美麗な外観を損なうので、改善が望まれている。
【０００７】
本発明は、かかる要望に応じて創案されたものであり、ロータンクカバー及び便蓋に傷をつけることがなく、しかもロータンクカバーの美観を損なうことがない便蓋のストッパ装置を提供することを目的とする。
【０００８】
【課題を解決するための手段】
本発明の便蓋のストッパ装置は、洋風便器の後部上面に設置されたロータンクカバーに対してもたれかかる便蓋を受け止めるための便蓋のストッパ装置であって、該ロータンクカバーの上部の前面から突出可能な受止体と、該受止体を突出および後退させるための作動手段とを備えてなり、該作動手段は、便蓋の起立に応じて該受止体を突出させ、便蓋の倒伏に応じて該受止体を後退させるものであることを特徴とするものである。
【０００９】
かかる便蓋のストッパ装置にあっては、便蓋が起立したときには受止体を突出させ、便蓋がロータンクカバーに直当りすることを防ぐ。便蓋が倒伏したときには、受止体が後退するので、ロータンクカバーの美観が損なわれない。
【００１０】
本発明では、特に受止体の前端面は該受止体の周囲の前記ロータンクカバーと同色であり、且つ該受止体は、後退時にその前端面が周囲のロータンクカバー前面と面一となる構成とすることにより、便蓋倒伏時のロータンクカバーの美観が著しく良好なものとなる。
【００１１】
【発明の実施の形態】
以下、第１〜３図を参照して本発明の実施の形態について説明する。第１図及び第２図は実施の形態に係る便蓋のストッパ装置の作動機構を示す洋風便器設備の要部断面図であり、第３図はこの洋風便器設備の透視斜視図である。なお、第１図はこの洋風便器設備の便蓋倒伏時の便蓋のストッパ装置の態様を示し、第２図は便蓋起立時の便蓋のストッパ装置の態様を示している。
【００１２】
この洋風便器設備は、前部に鉢部１１を有した洋風便器本体１０と、この洋風便器本体１０の後部上面に設置されたロータンクカバー１２とを備えたコンソール型洋風便器設備である。第３図に示す通り、ロータンクカバー１２の内部には温水タンク１３、ロータンク１４、温風乾燥装置１５、脱臭ファン１６等が設置されている。また、ロータンクカバー１２の上部には手洗鉢部１７や手洗吐水口１８等が設けられている。
【００１３】
なお、ロータンク１４の前面には、各装置を制御する制御回路を搭載した回路基板１９が設置されている。
【００１４】
ロータンク１４内の水は、ハンドル２０又はモータ２１で開弁操作されるフロート弁装置（図示略）を介して鉢部１１へ供給される。
【００１５】
ロータンク１４内には、ボールタップ２２から流出する清水を貯留するためのサービスタンク２３が設置されており、このサービスタンク２３内の清水が前記温水タンク１３へ供給される。この温水タンク１３内の温水は、ポンプ２４、メインバルブ２５及び切替バルブ２６を介して第１洗浄ノズル２７又は第２洗浄ノズル２８へ供給される。
【００１６】
また、前記脱臭ファン１６の排気は脱臭カートリッジ２８を通って脱臭処理された後、ロータンクカバー１２の下部の排気口２９を通ってトイレルーム内に放出される。さらに、ロータンクカバー１２内にはトイレルーム内の暖房用の温風ファン３０が設置されている。この温風ファン３０からの温風は便器本体１０の後部側面に沿って吹き出る。
【００１７】
ロータンクカバー１２の前面１２ａには、便座４０及び弁蓋４１が取り付けられている。これらの便座４０と便蓋４１とは、いずれも後部側を回動中心として上下方向回動可能に設置されており、鉢部１１の上面に倒伏した倒伏姿勢とロータンクカバー１２に対してもたれるように起立した起立姿勢とをとりうるようになっている。
【００１８】
第３図は、便座４０が鉢部１１の上面に倒伏し、便蓋４１が起立した状態を示している。なお、便蓋４１は倒伏時には便座４０を介して鉢部１１上に被さり、便座４０は、起立時には便蓋４１を介してロータンクカバー１２側にもたれかかる。
【００１９】
便蓋４１の後部には、左右幅方向に延在した支軸４２が設けられている。この支軸４２は、ロータンクカバー１２の前面１２ａの下部に設けられた軸受孔４３に差し込まれており、該軸受孔４３によって回動可能に支持されている。便蓋４１は、この支軸４２を回動中心として起倒方向（上下方向）に回動し、前記倒伏姿勢と起立姿勢とをとる。なお、支軸４２は、便蓋４１の起倒に合わせて該便蓋４１と一体に回動する。
【００２０】
支軸４２の先端側は軸受孔４３からロータンクカバー１２内に挿入されている。この支軸４２の先端側には、その側周面から張り出した一片のアーム状部材４４が設けられている。このアーム状部材４４は、第１図に示す通り、便蓋４１が倒伏姿勢となっているときには支軸４２の該側周面から上方に延在し、起立姿勢となっている。そして、便蓋４１が起立方向（第１図における矢印Ａ方向）に回動したときには、このアーム状部材４４は支軸４２を介して便蓋４１と一体に回動し、該支軸４２を回動中心として後方（該矢印Ａ方向）に倒伏する。なお、このとき、第２図に示す通り、アーム状部材４４は後述のプッシュケーブル６０に連なったキー６４上に倒伏し、該キー６４を押し下げる。
【００２１】
ロータンクカバー１２の前面１２ａの上部には、該ロータンクカバー１２に対してもたれかかるように起立した便蓋４１を受け止めるためのストッパ装置５０が設けられている。このストッパ装置５０の先端側は、便蓋４１と同色で且つ該便蓋４１の材質よりも柔らかいウレタン等の軟質樹脂やエラストマー等から構成されたストッパピン５１を備えている。なお、ストッパピン５１の全体がこのような材質の材料から構成されていてもよく、ストッパピン５１の先端側のみがこのような材料で構成されていてもよい。また、ストッパピン５１の先端側のみがこのような材料で構成され、且つこの先端側がキャップ状とされることなどにより後部側に対し着脱自在に装着されていてもよい。
【００２２】
ピン収容部５３は、ロータンクカバー１２の前面１２ａの上部に設けられたピン出入口５２を取り囲むようにロータンクカバー１２の該前面１２ａの内側面から該ロータンクカバー１２の内方（第１図及び第２図における右方向）に突き出した環状の凸段部であり、その中央にストッパピン５１を収容するための収容穴５４が形成されている。ストッパピン５１は、この収容穴５４内においてその柱軸線方向に摺動し、その先端部が該ピン出入口５２からロータンクカバー１２の外部へ突出或いはロータンクカバー１２内へ後退しうるように収容されている。なお、この収容穴５４は、ピン収容部５３の突端面に被せられた後述のシース取付板６３によって閉鎖されており、ストッパピン５１がその後端側から収容穴５４を抜け出すことはない。もちろん、ストッパピン５１はその先端側のみがピン出入口５２から出入り可能となっており、後端側の鍔状部５１ａはピン出入口５２を通り抜けることができないため、このストッパピン５１が該ピン出入口５２から収容穴５４を抜け出すこともない。
【００２３】
このストッパ装置５０のストッパピン５１と便蓋４１とはプッシュケーブル６０を介して連動されている。このプッシュケーブル６０は、屈曲可能なシース（鞘状の外管）６０ａ内に屈曲可能なワイヤ６０ｂを挿通したものである。
【００２４】
シース６０ａの一端は、ロータンクカバー１２の下部に設けられたベース部材６１のシース固定用カラム６２に固定されている。ベース部材６１は便蓋４１の支軸４２の下側に配置されている。
【００２５】
シース固定用カラム６２は、その下部のシース差込口６２ａから内部にシース６０ａの一端側が差し込まれた略円筒形状の部材であり、該ベース部材６１からその上部が前記アーム状部材４４の倒伏位置に臨むように立設されている。該差込口６２ａからこのシース固定用カラム６２内に差し込まれたシース６０ａの該一端側は、シース固定用カラム６２の筒軸線に沿って上方へ延在している。
【００２６】
ワイヤ６０ｂの一端は、このようにシース固定用カラム６２内に差し込まれたシース６０ｂの一端から該シース固定用カラム６２の上部に設けられたワイヤ挿通孔６２ｂを通って上方へ延出している。シース６０ｂの該一端はこの挿通孔６２ｂの周縁部によって押えられている。該挿通孔６２ｂから延出したワイヤ６０ｂの先端には、便蓋４１の起立方向への回動に伴って該倒伏位置に倒伏してくるアーム状部材４４に対し下側から当接し、このアーム状部材４４の倒伏によって生じる下方への押圧力をワイヤ６０ｂの該一端に伝えるキー６４が接続されている。また、このキー６４とシース固定用カラム６２の上端部との間にはワイヤ６ｂの該一端を取り巻くようにコイルスプリング６５が介在されている。キー６４は、このコイルスプリング６５によって常時シース固定用カラム６２の該上端部から離隔するように上方へ付勢されている。
【００２７】
これにより、ワイヤ６０ｂの該一端は、キー６４を介して常時コイルスプリング６５によって上方即ちシース６０ａからの引き出し方向へ付勢され、アーム状部材４４が起立状態にあってキー６４に下方への押圧力が加えられていないときにはこの付勢力によってシース６０の該一端から上方へ引き出された状態となる。そして、アーム状部材４４が倒伏し、コイルスプリング６５の付勢力に抗してキー６４を押し下げたときには、このキー６４の下方への移動に伴ってワイヤ６０ｂがシース６０ａ内に後退する。
【００２８】
シース６０ａの他端は、収容穴５４を閉鎖するようにピン収容部５３の突端面に被せられたシース取付板６３に固定されている。このシース取付板６３はビス６３ａ等によって該ピン収容部５３に固着されている。
【００２９】
ワイヤ６０ｂの他端は、シース取付板６３に固定されたシース６０ａの該他端から該シース取付板６３の挿通孔６３ｂを通って収容穴６４内に挿通され、ストッパピン５１の後端部に接続さている。これにより、ストッパピン５１は、ワイヤ６０ｂの該他端のシース６０ａからの進退に応じて収容穴６４内を摺動し、ワイヤ６０ｂの該他端がシース６０ａから進出したときにはその先端側がピン出入口５２から収容穴５４の外部へ突出され、ワイヤ６０ｂの該他端がシース６０ｂ内に後退したときには該先端側がピン出入口５２から収容穴５４内へ後退される。なお、この実施の形態では、ストッパピン５１は、ワイヤ６０ｂの該他端の後退に伴って該先端側が収容穴６４内に完全に後退したときには、その先端面とロータンクカバー１２の前面１２ａとが面一となるように構成されている。
【００３０】
このように構成されたストッパ装置５０を備えた洋風便器設備においては、便蓋４１が起立されると、この便蓋４１の起立に合わせてアーム状部材４４がキー６４上に倒伏し、コイルスプリング６５の付勢力に抗して該キー６４を押し下げる。これに伴い、このキー６４に連なったワイヤ６０ｂの一端がシース６０ａ内に後退すると共に、該ワイヤ６０ｂの他端がシース６０ｂから進出し、ストッパピン５１の先端側をピン出入口５２からロータンクカバー１２の前面側に突き出させる。これにより、便蓋４１が起立し、ロータンクカバー１２側にもたれかかった際には、この便蓋４１がロータンクカバー１２に当る前にストッパピン５１の先端が便蓋４１を受け止め、該便蓋４１とロータンクカバー１２とが直当りすることを防止する。
【００３１】
また、便蓋４１が倒伏されると、この便蓋４１の倒伏に合わせてアーム状部材４４が起立し、キー６４の下方への押圧力が解除される。これにより、ワイヤ６０ｂの該一端がキー６４を介してコイルスプリング６５の付勢力によりシース６０ａから引き出されると共に、ワイヤ６０ｂの該他端がシース６０ａ内に引き込まれ、ストッパピン５１がピン出入口５２から収容穴５４内に後退される。なお、ストッパピン５１が後退を完了すると、その先端面がロータンクカバー１２の前面１２ａと面一となる。この結果、便蓋４１が倒伏姿勢となっているときにはロータンクカバー１２の前面１２ａに凹凸が現れず、著しく良好な外観を呈するようになる。
【００３２】
上記実施の形態では、便蓋４１とストッパ装置５０のストッパピン５１とはプッシュケーブル６０を介して連動するように構成されているが、これ以外にも図示はしないが、例えばこのプッシュケーブル６０を省略してストッパ装置５０にモータやソレノイドなどのストッパピン５１を進退させるための駆動動力源を設けると共に、洋風便器設備への人体の接近や便蓋４１の起倒操作を検知する各種のセンサ等を設け、このセンサからの検知信号によってストッパ装置５０の該動力源を起動させ、ストッパピン５１を進退させるように構成してもよい。
【００３３】
例えば、洋風便器近傍に人体が近づくとセンサによって該人体が感知され、この人体感知信号に基づいて便蓋が自動的に開放（起立）するよう構成された洋風便器設備が既に市販され、相当に普及しつつあるが、このような洋風便器設備においては、人体感知信号に基づいてストッパピン等の受止体を突出させ、便蓋の倒伏回動に同期させて該受止体を後退させてもよい。
【００３４】
【発明の効果】
以上詳述した通り、本発明の便蓋のスリット装置によると、便蓋起立時にこの便蓋がロータンクカバーに直に当ることを確実に防止することができ、しかも、便蓋倒伏時のロータンクカバーの美観が損なわれることがない。
【００３５】
また、本発明の便蓋のストッパ装置によると、便蓋倒伏時のロータンクカバーの美観を著しく良好なものとすることも可能である。
【図面の簡単な説明】
【図１】本発明の実施の形態に係る便蓋のストッパ装置の便蓋倒伏時の態様を示す洋風便器設備の要部断面図である。
【図２】第１図の便蓋のストッパ装置の便蓋起立時の態様を示す洋風便器設備の要部断面図である。
【図３】実施の形態に係る洋風便器設備の透視斜視図である。
【符号の説明】
１０  洋風便器本体
１２  ロータンクカバー
１４  ロータンク
４１  便蓋
４２  支軸
４４  アーム状部材
５０  ストッパ装置
５１  ストッパピン
５２  ピン出入口
５３  ピン収容部
５４  収容穴
６０  プッシュケーブル
６０ａ  シース
６０ｂ  ワイヤ
６４  キー
６５  コイルスプリング
【図１】
0004250862.tif 000002
【図２】
0004250862.tif 000003
【図３】
0004250862.tif 000004